(57)【特許請求の範囲】
【請求項１】
地中から立設されるガイド支柱と、
当該ガイド支柱が貫通するガイド孔を有し、密閉構造の鋼板で構成されるが基礎部は固定されない構造で、かつ、内部は、複数に区分けされる多目的室または居室及びトイレ、エアコン室を備え、平時には陸上施設から水道及び電気の供給を受け、前記多目的室または居室が災害支援本部や救急対応施設に転用可能な公民館、図書館、集会施設として形成され、津波襲来時に津波に埋没しても避難者の生存に必要な空気抜き兼取入管、発電可能な発電機を備えた自家発電室、非常通信設備並びに生活生存に必要な最低限の付帯設備である長期間貯蔵可能な貯水タンク汚水タンクを備え、平時には陸上設備により電源・水道が供給されるが、緊急時（浮上時）にはこれら電源・水道が陸上設備から自動的に切り離され、電源・水道が切り離されたら自動的に前記自家発電室内の発電機が動作し、電気設備に電気を供給するシェルター本体とからなり、
当該シェルター本体は、内部を水密可能とする水密扉と気密扉からなる二重構造の外部通行入口、津波襲来時に密閉されるカバー付き窓を有し、完全密閉されることで、津波襲来に際して内部の空気により浮力が生じ、前記ガイド支柱に沿って浮上することを特徴とする浮体式大人数緊急避難シェルター。
【請求項２】
前記シェルター本体と前記ガイド支柱との間には、前記シェルター本体の浮上を容易にする複数のガイドローラが配置されたことを特徴とする請求項１に記載の浮体式大人数緊急避難シェルター。
【発明の詳細な説明】
【技術分野】
【０００１】
本発明は、浮体式大人数緊急避難シェルターに関する。
【背景技術】
【０００２】
従来、大型震災による津波が発生した場合、都市部などの海浜に近い平地に避難場所が無いという問題がある。また、避難場所が遠いため避難するのに時間がかかるため、被災する可能性が高いという問題があり、このような津波の被害から人命を守るシェルターが知られている。
【０００３】
津波に対して大人数の避難の収容を可能としたシェルターの例としては、例えば、特開２０１３-６７９５２号公報に開示のものが知られている。特開２０１３-６７９５２号公報に開示のものは、発明名称「津波シェルター及び構築工法」に係り、「津波が押し寄せた際に、多数の避難民を同時に避難させることが出来て、しかも、避難の際に混乱が生じることがなく、収容し切れなかった避難民の身体に重大な損傷を及ぼしてしまうことがない様な津波シェルターと、その構築工法の提供」を目的とする発明解決課題において(同公報明細書段落番号０００５参照）、「避難塔と収容篭を有しており、前記避難塔は、長円の両端部が尖った楕円形の断面形状を有し、当該長円の尖った形状の両端部の何れか一方が海側を向いて配置されており、楕円形断面の中央部には中空部を形成しており、中央に中空部を有する長円の両端部が尖った楕円形断面の単位部材が複数積層されており、下方には開口部が形成されており、前記収容篭は前記避難塔の断面中央部の中空部の断面形状と同一の断面形状であり、前記収容篭の断面積は前記避難塔の断面中央部の中空部の断面積よりも小さく、前記収容篭は上下方向に２つの区画に仕切られており、下方の区画は密閉された空間であり、上方の区画は避難民を収容する収容スペースとして構成されており、上方の区画には開口が設けられており、当該開口には上下動可能で且つ上方位置と下方位置で固定可能な格子が設けられており、前記開口は前記避難塔の下方に形成された開口部と整合した位置に形成されている」構成を採用することにより(同公報特許請求の範囲の請求項１の記載等参照)、「前記収容篭（２０）の内径を例えば４ｍとすれば、・・・約１００人の避難民を収容することが出来、・・密閉空間の高さ寸法が約０．８ｍであれば約１０ｔの浮力を確保することが出来、・・収容篭（２０）の下方区画（２０ｂ）によって、約１００人の避難民（一人７５ｋｇとして、総重量７．５ｔ）の総重量を上回る浮力が確保することが出来る」等の効果を奏するものである(同公報明細書段落番号００１１参照）。
【０００４】
図３は、当該特開２０１３-６７９５２号公報に開示の「津波シェルター」の第１実施形態の斜視図である。図３において、符号１００は、当該第１実施形態に係る津波シェルター、１０６は、棒状部材／鋼棒、１０７は、プレート、１０８は、アンカーヘッド、１１０は、避難塔、１１１は、中空部、１１２は、開口部、１１３は、ガイドレール、１２０は、収容篭、Ｕ１、Ｕ２は、避難塔用ユニット、Ｇｆは、地表、Ｗ１２、Ｈ１２は、前記開口部１１２の水平方向寸法及び垂直方向寸法を示す（なお、符号は、先行技術であることを明らかにするために、本願出願人において、３桁に変更して説明した。）。
【０００５】
しかしながら、当該特開２０１３-６７９５２号公報に開示の「津波シェルター」は、大人数の収容を可能とするものであるが、避難用のシェルター以外の利用価値はなく、津波が発生しない平時の場合には、無用の長物であり、当該特開２０１３-６７９５２号公報の開示が懸念するように、子供の遊び場や浮浪者侵入などに日頃の注意を要するような代物である。
【先行技術文献】
【特許文献】
【０００６】
【特許文献１】特開２０１３-６７９５２号公報
【発明の概要】
【発明が解決しようとする課題】
【０００７】
そこで、津波が来ない場合には、公民館や図書館などの公共施設として利用可能とし、さらに、大型震災による津波が来た場合には、容易に浮上し、非難場所を確保でき、さらには、津波が去った後に、災害支援本部や救急対応施設に容易に転用できる浮体式大人数緊急避難シェルターを提供することを目的とする。
【課題を解決するための手段】
【０００８】
上記の課題を解決するために、本願請求項１に係る発明は、浮体式大人数緊急避難シェルターにおいて、地中から立設されるガイド支柱と、当該ガイド支柱が貫通するガイド孔を有し、密閉構造の鋼板で構成されるが基礎部は固定されない構造で、かつ、内部は、複数に区分けされる多目的室または居室及びトイレ、エアコン室を備え、平時には陸上施設から水道及び電気の供給を受け、前記多目的室または居室が災害支援本部や救急対応施設に転用可能な公民館、図書館、集会施設として形成され、津波襲来時に津波に埋没しても避難者の生存に必要な空気抜き兼取入管、発電可能な発電機を備えた自家発電室、非常通信設備並びに生活生存に必要な最低限の付帯設備である長期間貯蔵可能な貯水タンク汚水タンクを備え、平時には陸上設備により電源・水道が供給されるが、緊急時（浮上時）にはこれら電源・水道が陸上設備から自動的に切り離され、電源・水道が切り離されたら自動的に前記自家発電室内の発電機が動作し、電気設備に電気を供給するシェルター本体とからなり、当該シェルター本体は、内部を水密可能とする水密扉と気密扉からなる二重構造の外部通行入口、津波襲来時に密閉されるカバー付き窓を有し、完全密閉されることで、津波襲来に際して内部の空気により浮力が生じ、前記ガイド支柱に沿って浮上することを特徴とする。
また、本願請求項２に係る発明は、前記請求項１に記載の浮体式大人数緊急避難シェルターにおいて、前記シェルター本体と前記ガイド支柱との間には、前記シェルター本体の浮上を容易にする複数のガイドローラが配置されたことを特徴とする。
【発明の効果】
【０００９】
本発明は、上述のとおり構成されているので、次に記載する効果を奏する。
（１）平時には公民館や図書館などの公共施設として利用可能であるにも拘わらず、大型震災による津波に対して避難場所を容易に確保することが可能となる。
（２）また、平地がなく、避難場所が確保しがたい地所にも設置することが可能で、地理的な悪条件に関係なく大型津波の避難場所を確保することが可能となる。
【図面の簡単な説明】
【００１０】
【図１】図１は、本実施例１に係る浮体式大人数緊急避難シェルター１の概略平面図、
【図２】図２は、同平面図におけるＡ−Ａ及びＢ−Ｂ断面を示す本実施例１に係る浮体式大人数緊急避難シェルター１の概略連続断面図、
【図３】図３は、特開２０１３-６７９５２号公報に開示の「津波シェルター」の第１実施形態の斜視図である。
【発明を実施するための形態】
【００１１】
本発明に係る浮体式大人数緊急避難シェルターを実施するための形態として一実施例を図面に基づき詳細に説明する。
【実施例１】
【００１２】
図１、図２は、本発明に係る浮体式大人数緊急避難シェルターを実施するための実施例１を示す図であり、そのうち、図１は、本実施例１に係る浮体式大人数緊急避難シェルター１の概略平面図であり、図２は、同平面図におけるＡ−Ａ及びＢ−Ｂ断面を示す本実施例１に係る浮体式大人数緊急避難シェルター１の概略連続断面図である。
【００１３】
図１、図２において、符号１は、本実施例１に係る浮体式大人数緊急避難シェルターであり、２は、シェルター本体、３ａは、ガイド支柱、３ｂは、支柱基礎、４は、ガイド孔、５、５、５，・・は、ガイドローラー、６は、係止ストッパー、７は、水密扉、８は、気密扉、９は、梯子、１０は、ハッチ、１１は、トイレ、１２は、自家発電室、１３は、エアコン室、１４，１４は、空気抜き兼取り入れ管、１５、１５・・は、前記シェルター本体２内に設けられる多目的室ないしは居室等、１６は、カバー付窓、１７、１７、１７、・・・は、各室ドア、１８は、図書台、１９は、図書テーブル、２０は、椅子、２１，２１，２１・・・は備蓄ロッカーである。
【００１４】
本実施例１に係る浮体式大人数緊急避難シェルター１は、図１及び図２に示すように、緊急時には密閉可能な鋼板又は補強材で構成される箱状の浮体構造物である前記シェルター本体２からなり、前記シェルター本体２の平面ほぼ中央には垂直に貫通する前記ガイド孔４が開口し、当該ガイド孔４には、地中に埋められた前記支柱基礎３ｂからしっかりと立設する前記ガイド支柱３ａが貫通し、当該ガイド支柱３ａと前記ガイド孔４との間には、前記ガイドローラ５、５・・・が配置され、津波が来襲した際には、前記シェルター本体２が全体として浮上可能な構造に構成される。
【００１５】
また、本実施例１に係る浮体式大人数緊急避難シェルター１における前記シェルター本体２の内部は、複数の部屋に区切り、一般の部屋としても利用できる前記多目的室１５ないしは居室１５として構成される。そして、前記シェルター本体２への出入りは、適宜の一又は複数の場所に数箇所の入口から行われ、同入口は、前記水密扉７及び前記気密扉８が設けられる二重構造とし、平時には、前記水密扉７は、開放状態にされるが、津波襲来時には、避難者収容後に水密扉を閉鎖して密閉を維持する構造とする。また、前記シェルター本体２の適宜の場所には前記カバー付窓が設けられ、津波襲来時には前記水密扉７と同様に密閉にされる。密閉されることで、津波襲来に際して内部の空気により浮力が生じ、前記シェルター本体２は、前記ガイド支柱３ａ（支柱高さは津波の高さにより調整）に沿って浮上する。
【００１６】
なお、本実施例１に係る浮体式大人数緊急避難シェルター１は、鋼板又は補強材製の平面視矩形の箱形構造としたが、これは平面視円径の円筒構造であっても良く、また、設置場所の面積の大小や地形に合わせ設備のサイズを適宜調整でき、また、前記多目的室１５は、図１に示すように、前記図書台１８や図書テーブル１９、椅子２０等を備え、平時は公民館や図書館などの公共設備として利用しても良いし、一般の部屋である居室として利用しても良く、また、前記ガイド支柱３ａも直方体形状とし、四面に合計８個の前記ガイドローラ５、５・・・が配置される構成としたが、これは、円筒形状等のガイド支柱３ａであっても良く、また、前記ガイド孔４は、当該ガイド支柱３ａの断面形状に対応する孔形状とし、当該円筒ガイド支柱３ａと当該円筒ガイド孔４との間には、適宜の間隔で前記ガイドローラ５、５・・・が配置されるようにしても良い。
【００１７】
さらに、前記シェルター本体２内部を図１および図２に示すように、数部屋１５、１５、１５、・・・に区切り、平時にはこれを一般の部屋、例えば、一般居室や公民館集会室、図書館などの公共の施設に利用する。そして、各室１５、１５、１５，・・・には、数箇所の入口１７、１７、１７，・・・を設け、外部との通行する入口は、前記水密扉７と前記気密扉８の二重構造とし、平時には前記水密扉７は常時開放状態とする一方、津波襲来の緊急時には、避難者収容後に前記水密扉７を閉鎖し、さらには、前記気密扉８も閉鎖してシェルター本体２の密閉を完全にする。
【００１８】
また、本実施例１に係る浮体式大人数緊急避難シェルター１においては、津波が来襲した時は、前記シェルター本体２は前記ガイド支柱３ａ（支柱高さは津波の高さにより調整）に沿って浮上する構造とする。本実施例１に係る浮体式大人数緊急避難シェルター１における前記シェルター本体２は、密閉構造の鋼板又は補強材で構成され、所定の位置に設置されるが、基礎部は固定されない構造とし、津波襲来により容易に浮上可能とする。このため、津波に埋没しても避難者に生存に必要な前記空気抜き兼取入管１４，１４，・・が配置される。
【００１９】
なお、本実施例１に係る浮体式大人数緊急避難シェルター１には、図１及び図２に示すように、前記トイレ１１、自家発電機室１２，エアコン室１３等が配置され、平時には電源(図示外)、水道(図示外)などは、陸上設備により供給されるが、緊急時（浮上時）には、浮上により、これら電源(図示外)、水道(図示外)等は自動的に切り離される構造とし、自動的に電気・水道が遮断されるように構成する一方、電源が遮断されたら自動的に前記自家発電室１２内の発電機が動作し、前記シェルター本体２の電気設備に電気を供給する構造とする。このため、前記多目的室１５や各居室１５、１５・・には、前記備蓄ロッカー２１、２１、２１・・・を設け、該備蓄ロッカー２１、２１、２１・・・内には、緊急用ペットボトル水・非常食・非常通信設備・医薬品等を備える外、長期間貯蔵可能な貯水タンク(図示外)や汚水タンク(図示外)等生活生存に必要な最低限の付帯設備を備えることを特徴とする。
【００２０】
そして、本実施例１に係る浮体式大人数緊急避難シェルター１には、このように付帯設備として、備蓄ロッカー、小型自家発電設備、エアコン、トイレを備えるようにすることから、津波襲来後は、前記シェルター本体２からなる本実施例１に係る浮体式大人数緊急避難シェルター１全体が災害支援本部や救急対応施設として転用できるように構成される。
【００２１】
このような構造とすることにより、本実施例１に係る浮体式大人数緊急避難シェルター１は、津波襲来時ばかりでなく、平時においても施設の有効利用が可能であると共に、津波襲来に際しては、多人数の避難民を誘導して、津波の被害を食い止めることができ、多人数の人命を救うことができる。
そして、平時に公民館等の公共施設として利用されている施設であり、発電設備やトイレ設備が完備されるので、周囲が津波襲来の被害にあったとしても、容易にその場所を災害支援本部や救急対応施設として被災者の受け入れ等の施設に転換可能であるというメリットがある。
【産業上の利用可能性】
【００２２】
本発明は平時には公民館等公共的な施設として機能し、津波襲来時には大人数の避難を可能とする浮体式大人数緊急避難シェルターとして利用できる。
【符号の説明】
【００２３】
１  浮体式大人数緊急避難シェルター
２  シェルター本体
３ａ  ガイド支柱
３ｂ  ガイド支柱基礎
４  ガイド孔
５、５、５・・・ ガイドローラ
６  ガイドストッパー
７  水密扉
８  気密扉
１０  ハッチ
１１  トイレ
１２  自家発電室
１３  エアコン室
１５、１５、１５・・・居室、多目的室
１６  カバー付き窓
１７  入口
１８  図書台
１９  図書テーブル
２０  椅子
２１、２１、２１・・・ 備蓄ロッカー
１００  津波シェルター
１０６  棒状部材／鋼棒
１０７  プレート
１０８  アンカーヘッド
１１０  避難塔
１１１  中空部
１１２  開口部
１１３  ガイドレール
１２０  収容篭
Ｕ１、Ｕ２  避難塔用ユニット
Ｇｆ  地表
Ｗ１２、Ｈ１２  開口部の水平方向寸法及び垂直方向寸法
【要約】
【課題】
津波が来ない場合には、公民館や図書館などの公共施設として利用可能とし、さらに、大型震災による津波が来た場合には、容易に浮上し、非難場所を確保できる浮体式大人数緊急避難シェルターを提供する。
【解決手段】
地中から立設されるガイド支柱と、当該ガイド支柱が貫通するガイド孔を有するシェルター本体とからなり、当該シェルター本体は、内部を水密可能とする水密扉、カバー付き窓を有する。
【選択図】図１【図１】
0005639231.tif 000002
【図２】
0005639231.tif 000003
【図３】
0005639231.tif 000004